(57)【要約】【課題】モードに対応して検知エリアを切替えることができる照明装置を提供する。【解決手段】モード切替手段４２，４３，４５により、光源３３を所定のモードで点灯させる通常モードと、人感センサ１５からの検知信号に基づいて光源３３およびアラーム装置１８を作動させる防犯モードとを切替えると、モードに対応して人感センサ１５の検知エリアを自動で切替える。このため、各モードに対応して適切な検知を行うことができ、各モードを有効に作動させることができる。【選択図】図５
2010146976.tif 000002
【特許請求の範囲】
【請求項１】
光源と、
アラーム装置と、
所定の検知エリア内の人を検知する人感センサと、
周囲の明るさを検知する明るさセンサと、
前記光源を所定のモードで点灯させる通常モードと、前記人感センサからの検知信号に基づいて前記光源および前記アラーム装置を作動させる防犯モードと、を選択的に切替えるモード切替手段と、
を有する照明装置であって、
前記通常モードと前記防犯モードとで、前記人感センサの前記検知エリアを変えることを特徴とする照明装置。
【請求項２】
前記通常モードおよび前記防犯モードのいずれかが選択された状態で前記検知エリアを変更可能としたことを特徴とする請求項１記載の照明装置。
【発明の詳細な説明】
【技術分野】
【０００１】
本発明は、防犯機能を備えた照明装置に関するものである。
【背景技術】
【０００２】
従来、例えば一般住宅の玄関先に設置されるポーチライトのような照明装置には、周囲の明るさを検知する明るさセンサや、照明すべき検知エリア内に進入した人体を検知する人感センサを具備したものがある。このような照明装置では、明るさに応じて自動点灯および自動消灯させることにより、省エネを図ったり、検知エリア内の人体の検知の有無に基づいて、自動点灯および自動消灯させることにより、防犯機能を付加した照明装置が提案されている（例えば、特許文献１参照）。
【０００３】
図８に示すように、特許文献１に記載の照明装置１００では、ユニットケース１０１の前面中央部に検知窓１０２が設けられ、その検知窓１０２の上方および下方位置に照明窓１０３および表示窓１０４がそれぞれ配設されている。ユニットケース１０１の内部には、人体を検知して検知信号を出力する人感センサ１０５が設けられている。
【０００４】
人感センサ１０５は、所定の検知エリアＡ０ 〜Ａｎ 内の人体Ｈを検知して検知信号を制御部に出力する。制御部は、検知信号に基づいて発光手段１０６を制御して、照明窓１０３から光を照射する。すなわち、制御部は、発光手段１０６を照明用に点灯させる第１モードと、第１モードでの点灯中の所定時間 内に設定回数の検知信号を受けたとき、発光手段１０６を威嚇用に点灯させる第２モードとを有する。
【０００５】
これにより、人感センサ１０５からの検知信号の出力状況に基づいて悪意を持った不法侵入者と判断できた時点で、タイムリーに発光手段１０６を威嚇用のモードに切り換えて点灯制御することにより、高い威嚇効果を発揮することができる。
【特許文献１】特開２００６−２４３８２４号公報（第１図）
【発明の開示】
【発明が解決しようとする課題】
【０００６】
しかしながら、前述したような従来の照明装置１００においては、第１モードおよび第２モードについて同じ検知エリアを常に監視しており、モードに対応して検知エリアを切替えることは行われていないので、モードに対応した適正な検知を行うことができないという問題がある。
【０００７】
本発明は、従来の問題を解決するためになされたもので、モードに対応して検知エリアを切替えることができる照明装置を提供することを目的とする。
【課題を解決するための手段】
【０００８】
本発明の照明装置は、光源と、アラーム装置と、所定の検知エリア内の人を検知する人感センサと、周囲の明るさを検知する明るさセンサと、前記光源を所定のモードで点灯させる通常モードと、前記人感センサからの検知信号に基づいて前記光源および前記アラーム装置を作動させる防犯モードと、を選択的に切替えるモード切替手段と、を有する照明装置であって、前記通常モードと前記防犯モードとで、前記人感センサの前記検知エリアを変える構成を有している。
【０００９】
この構成により、モード切替手段により、光源を所定のモードで点灯させる通常モードと、人感センサからの検知信号に基づいて光源およびアラーム装置を作動させる防犯モードとを切替えると、モードに対応して人感センサの検知エリアを自動で切替える。このため、各モードに対応して適切な検知を行うことができ、各モードを有効に作動させることができる。
【００１０】
また、本発明の照明装置は、前記通常モードおよび前記防犯モードのいずれかが選択された状態で前記検知エリアを変更可能とした構成を有している。
【００１１】
この構成により、通常モードおよび防犯モードのいずれかが選択されている状態でのみ、人感センサの検知エリアを切替えることができる。
【発明の効果】
【００１２】
本発明は、モード切替手段により、光源を所定のモードで点灯させる通常モードと、人感センサからの検知信号に基づいて光源およびアラーム装置を作動させる防犯モードとを切替えると、モードに対応して人感センサの検知エリアを自動で切替える。このため、各モードに対応して適切な検知を行うことができ、各モードを有効に作動させることができるという効果を有する照明装置を提供することができるものである。
【発明を実施するための最良の形態】
【００１３】
以下、本発明の照明装置の実施例について、図面を用いて説明する。
図１は本発明の照明装置の実施例を示す分解斜視図、図２はリモコン装置の正面図、図３は制御系統を示すブロック図、図４は各モードにおける動作を示すフローチャート、図５（Ａ）は防犯モードにおける検知エリアの説明図、図５（Ｂ）は通常モードにおける検知エリアの説明図、図６（Ａ）〜（Ｄ）は通常検知エリアの調整例を示す説明図、図７（Ａ）〜（Ｄ）は防犯検知エリアの調整例を示す説明図である。
【００１４】
図１に示すように、本発明の実施例にかかる照明装置１０は、例えば玄関の外壁１１に取付けて使用することができる。
【００１５】
図１に示すように、照明装置１０は、玄関の外壁１１にネジ１２１等により取付けられるベースプレート１２を有し、ベースプレート１２には器具本体１３が取付けられる。器具本体１３にはアーム１４を介して灯体３０が取付けられる。器具本体１３の外周面には、人感センサ１５、明るさセンサ１６、リモコン装置を構成するリモコン送信機４０からのリモコン信号を受けるリモコン受光部１７、アラーム装置であるブザー１８が設けられている。なお、人感センサ１５は、モータやアクチュエータ等の人感センサ調整手段２３（図３参照）によって、外壁１１に沿った方向および外壁１１に直交する方向へ、検知方向の調整が可能になっている。
【００１６】
器具本体１３の内部には制御部１９が収容されており、制御部１９の設定を行う複数個の調整つまみ２１が設けられている。調整つまみ２１は、点灯する周囲の明るさの調整、後述する通常モードにおけるお出迎え終了時間の調整、後述する防犯モードにおけるフラッシュ点灯開始時間の調整等を行う。調整つまみ２１は、外部から視認されないようにカバー２２が着脱可能に設けられている。
【００１７】
図３に示すように、人感センサ１５は、所定の検知エリア内の人を検知して、検知信号を制御部１９に送る。明るさセンサ１６は、周囲の明るさを検知して、検知信号を制御部１９に送る。リモコン受光部１７は、リモコン送信機４０から送られたリモコン信号を受信して、制御部１９に送る。また、制御部１９は、調整つまみ２１により種々の条件等が設定される。制御部１９は、送られてきた各信号に基づいて、ランプ３３への供給電力、ブザー１８のオン・オフ、人感センサ１５の検知範囲等の設定条件を制御する。
【００１８】
図１に示すように、灯体３０は、アーム１４の先端に取付けられる灯体本体３１を有しており、アーム１４の先端に取付けられ電力の供給を受けるソケット３２が取付けられる。ソケット３２には、光源であるランプ３３が取付けられ、樹脂製またはガラス製の透明カバー３４で覆われる。
【００１９】
図２に示すように、リモコン送信機４０は、例えば矩形箱状の本体４１を有し、本体４１の表面には、防犯モードに設定する防犯モードボタン４２、通常モードに設定する通常モードボタン４３、ブザー１８の音量を調整する音量ボタン４４、連続点灯モードに設定する連続点灯モードボタン４５、人感センサ１５による検知エリアを通常の範囲にする通常エリアボタン４６、防犯モードの検知範囲にする防犯エリアボタン４７等を有する。
【００２０】
次に、図４に基づいて、照明装置１０の動作について説明する。
まず、待機モード（ステップＳＳ）において、リモコン送信機４０のボタン４２、４３、４５を押して、モード設定を行う（ステップＳ１）。モードとしては、防犯モード、通常モード、連続点灯モードの３つがある。
【００２１】
防犯モードボタン４２を押して防犯モードに設定すると（ステップＳＡ１）、防犯検知エリアを自動で広い検知エリアに設定する（ステップＳＡ２、図５（Ａ）参照）。その後、検知エリアを通常エリアに切替えると（ステップＳＡ３）、以後の検知エリアは通常エリアとなる（ステップＳＡ４）。切替えない場合には、防犯検知エリアを維持する。そして、明るさセンサ１６が所定の明るさよりも暗いと検知したら（ステップＳＡ５）、制御部１９は２０％の明るさでランプ３３をお出迎え点灯させる（ステップＳＡ６）。
【００２２】
人感センサ１５が人を検知したら（ステップＳＡ７）、ランプ３３を１００％の明るさで点灯させるとともにブザー１８を作動させて侵入者を威嚇する（ステップＳＡ８）。ここで、威嚇動作とは、例えば、人感センサ１５が設定時間（例えば、すぐ、１０秒，３０秒等）以上人を検知した場合に人を検知したと判断し、人を検知した場合には、１０秒間ランプ３３を点滅させた後、ブザー１８を鳴らして侵入者を威嚇する。この動作は、周囲が明るい場合でも行われる。
【００２３】
その後、防犯モードから通常モードに切替えられると（ステップＳＡ９）、後述する通常モードに移行する。切替がない場合には、お出迎え終了時間（例えば、朝の７時や１４時間経過後等）になると（ステップＳＡ１０）、消灯する（ステップＳＡ１１）。２４時間人を検知しない場合には、自動的に通常モードになり、通常検知エリアに戻る。
【００２４】
次に、通常モードボタン４３を押して通常モードに設定すると（ステップＳＢ１）、通常検知エリアに設定する（ステップＳＢ２、図５（Ｂ）参照）。その後、検知エリアを防犯エリアに切替えると（ステップＳＢ３）、以後の検知エリアは防犯エリアとなる（ステップＳＢ４）。切替えない場合は、通常検知エリアを維持する。そして、夕方になって、明るさセンサ１６が所定の明るさよりも暗いと検知したら（ステップＳＢ５）、制御部１９は２０％の明るさでランプ３３をお出迎え点灯させる（ステップＳＢ６）。
【００２５】
人感センサ１５が人を検知したら（ステップＳＢ７）、ランプ３３を１００％の明るさで点灯させるとともにブザー１８を作動させて侵入者を威嚇する（ステップＳＢ８）。その後、お出迎え終了時間になると（ステップＳＢ９）、消灯する（ステップＳＢ１０）。消灯後は、朝になって、明るさセンサ１６が所定の明るさよりも明るくなったと検知するまでは、人感センサ１５が人を検知すると点灯し、威嚇動作を行う。朝になって、所定の明るさよりも明るくなると、威嚇動作は行わない。
【００２６】
次に、連続点灯モードボタン４５を押して連続点灯モードに設定すると（ステップＳＣ１）、通常検知エリアに設定して（ステップＳＣ２）、１００％の明るさでランプ３３を連続点灯させる（ステップＳＣ３）。明るさセンサ１６が所定の明るさよりも明るくなったと検知した場合、あるいはタイマーで朝になったとされた場合（例えば、１４時経過後、あるいは午前７時になった場合等）には、消灯する。なお、消灯後に、自動的に通常モードに移行するように設定すると、昼間人を検知しなかった場合には、夜間は自動で防犯モードに移行する。この防犯モードは、リモコン操作で解除することができる。
【００２７】
次に、図６および図７に基づいて、人感センサ１５の検知エリアの調整について説明する。図６は通常検知エリアを示し、図７は防犯検知エリアを示す。
図６（Ａ）に示すように、通常モードにおける人感センサ１５の検知エリアである通常検知エリアは、人感センサ１５を可動（首振り移動を意味する。）させない状態（可動角度＝０°では、外壁に沿った方向へ約４ｍ、外壁に直交する方向へ約２ｍと設定することができる。これに対し、防犯モードに切替えると、図７（Ａ）に示すように、この状態から人感センサ調整手段２３により人感センサ１５を可動させて検知エリアを拡大して防犯検知エリアに移行する。
【００２８】
また、人感センサ１５を稼動させて、通常検知エリアを、図６（Ｂ）〜（Ｄ）に示すように調整することができる。この場合には、防犯モードに切替えると、防犯検知エリアは、図７（Ｂ）〜（Ｄ）に示すように自動で拡大する。
【００２９】
以上、説明した本発明の実施形態にかかる照明装置１０によれば、リモコン送信機４０により、通常モードと、防犯モードとを切替えると、モードに対応して人感センサ１５の検知エリアを自動で通常検知エリアおよび防犯検知エリアに切替える。このため、各モードに対応して適切な検知を行うことができ、各モードを有効に作動させることができる。
【００３０】
なお、人感センサの検知エリアの切替えは、通常モードおよび防犯モードのいずれかが選択されている状態でのみ行うことができる。
【００３１】
なお、本発明の照明装置は、前述した各実施形態に限定されるものでなく、適宜な変形，改良等が可能である。
例えば、前述した実施例において示した通常検知エリアおよび防犯検知エリアは一例であり、種々に設定することができる。また、各モードにおける動作の流れも一例であり、これに限定するものではない。
【図面の簡単な説明】
【００３２】
【図１】本発明の照明装置の実施例を示す分解斜視図
【図２】リモコン装置の正面図
【図３】制御系等を示すブロック図
【図４】各モードにおける動作を示すフローチャート
【図５】（Ａ）は防犯モードにおける検知エリアの説明図、（Ｂ）は通常モードにおける検知エリアの説明図
【図６】（Ａ）〜（Ｅ）は通常検知エリアの調整例を示す説明図
【図７】（Ａ）〜（Ｅ）は防犯検知エリアの調整例を示す説明図
【図８】従来の照明装置を示す斜視図
【符号の説明】
【００３３】
１０  照明装置
１５  人感センサ
１６  明るさセンサ
１８  ブザー（アラーム装置）
３３  ランプ（光源）
４２  防犯モードボタン（モード切替手段）
４３  通常モードボタン（モード切替手段）
４５  連続点灯モードボタン（モード切替手段）
【図１】
2010146976.tif 000003
【図２】
2010146976.tif 000004
【図３】
2010146976.tif 000005
【図４】
2010146976.tif 000006
【図５】
2010146976.tif 000007
【図６】
2010146976.tif 000008
【図７】
2010146976.tif 000009
【図８】
2010146976.tif 000010